(57)【特許請求の範囲】
【請求項１】
編針を進退摺動可能に収納したニードルベッドを少なくとも前後一対に設けた横編機のニードルベッドに編糸を周回状に給糸して一方のニードルベッドで靴下（１）の上面部分（１１）を、他方のニードルベッドで靴下（１）の下面部分（１２）をそれぞれ編成する指袋を有する踵付き靴下の編成方法であって、踵部分（９）の編成にあたり靴下（１）の上面部分（１１）を編成するニードルベッドにおける編成領域の両側の編針から踵部分（９）の編成を開始したことを特徴とする指袋を有する踵付き靴下の編成方法。
【請求項２】
靴下（１）の上面部分（１１）を編成するニードルベッドにおける編成領域の両側の編針から踵部分（９）の編成を開始し、踵部分（９）の先端寄り部分を編成する側のニードルベッドで膨らみを形成するファッションラインの先端部を二股状にして踵部分（９）を編成したことを特徴とする請求項１に記載の指袋を有する踵付き靴下の編成方法。
【発明の詳細な説明】
【０００１】
【発明の属する技術分野】
本発明は指袋を有する踵付き靴下に関し、なかでも踵部分から足挿入口までの長さが短い、所謂「スニーカー」タイプの指袋を有する踵付き靴下の編成方法に関するものである。
【０００２】
【従来の技術】
一般に、スニーカータイプの指袋を有する踵付き靴下は、編針を進退摺動可能に収納したニードルベッドを前後に設けた横編機で、前後のニードルベッドの編針に編糸を周回状に給糸し、例えば後方のニードルベッドの編針で靴下の表面部分（足の甲部分）を、前方のニードルベッドの編針で靴下の下面部分（足の裏部分）及び足挿入口部分では後側半部を編成するようにしている。
そして、靴下の編成にあたっては、各指袋の爪先部分から編み出され、各指袋を合一した五本胴部分並びに土踏まず部分が編成され、踵部分が形成された後、長さの短い足挿入口が編成されるようになっている。
【０００３】
この踵部分を編成する場合、靴下の下面部分を編成していた後方のニードルベッドの編針を休止させた状態で、前方のニードルベッドの編針でその編成領域を一旦徐々に減少させた後、元の編成領域に復帰させることにより、踵部分の膨らみを形成するようにしてある。
【０００４】
【発明が解決しようとする課題】
人間の足は踝の間接部分で、足の甲と向う脛との角度が通常で９０度、前屈みの時は鋭角になる。
ところが、上記従来の指袋を有する踵付き靴下では、踵部分が一方（前方）のニードルベッドの編針で編成されているために、編み上がった時点で、足の甲と足挿入口部分との角度が９０度より大きな鈍角になる。
したがって、かかる靴下を着用した場合、足への馴染みが悪く、踵部分が突っ張った状態になり、履き心地が低下するという問題があった。
【０００５】
特に、スニーカータイプの靴下のように、踵部分から脚の挿入口までの長さが短いものでは、これを着用したときに踵部分が引っ張られるために、足挿入口が水平にならず、見栄えが悪いだけでなく、歩行中に踵部分がずれて脱げ易いという問題があった。
こうして踵部分がずれると、指袋も脱げてしまうという問題もある。
本発明は上記問題に鑑み提案されたもので、装着感に優れた指袋を有する踵付き靴下の編成方法を提供できるようにすることを目的とするものである。
【０００６】
【課題を解決するための手段】
上記目的を達成するために本発明にかかる指袋を有する踵付き靴下の編成方法は、編針を進退摺動可能に収納したニードルベッドを少なくとも前後一対に設けた横編機のニードルベッドに編糸を周回状に給糸して一方のニードルベッドで靴下の上面部分を、他方のニードルベッドで靴下の下面部分をそれぞれ編成する指袋を有する踵付き靴下の編成方法であって、踵部分の編成にあたり靴下の上面部分を編成するニードルベッドにおける編成領域の両側の編針から踵部分の編成を開始したことを特徴とするものである。
【０００７】
本発明の指袋を有する踵付き靴下の編成方法では、靴下の上面部分を編成するニードルベッドにおける編成領域の両側の編針から踵部分の編成を開始し、踵部分の先端寄り部分を編成する側のニードルベッドで膨らみを形成するファッションラインの先端部を二股状にして踵部分を編成したことも特徴とするものである。
【０００８】
【発明の実施の形態】
以下、本発明の実施の形態を図面に基づいて説明する。
図１は本発明にかかる指袋を有する踵付き靴下の斜視図であって、図中符号１は指袋を有する踵付き靴下を全体的に示す。
この指袋を有する踵付き靴下１は、爪先部分に五本の指袋２〜６が形成され、この五本の指袋合一した筒状の五本胴７、土踏まず部分８、踵部分９及び短寸の脚挿入口１０が順次編成されて形成されたスニーカータイプのものである。
【０００９】
上記指袋を有する踵付き靴下１を編成する編機の図示は省略したが、編針を進退摺動可能に収納したニードルベッドを少なくとも前後一対に設けた横編機が使用され、この横編機のニードルベッドに編糸を周回状に給糸して一方のニードルベッド（例えば後方のニードルベッド）の編針で靴下１の上面部分（脚の甲部分）１１を、他方のニードルベッド（前方のニードルベッド）で靴下１の下面部分（脚の裏部分）１２をそれぞれ編成するようにしてある。
尚、図１中の二点鎖線Ｘは前後それぞれのニードルベッド編成された編地の境界線である。
【００１０】
そして、五本胴７及び土踏まず部分８が順次編成された後に編成される踵部分９の編成手順を図１乃至図３に基づいて説明する。
図２のＡ部分およびＣ部分は靴下１の踵部分９の上面側（脚の甲側）、Ｂは靴下１の下面側（踵部分の膨らみ側）を編成する編成コースを示す概略図であり、Ａ部分およびＣ部分は踵部分９の編成に関わる部分の後方のニードルベッドを、Ｂ部分は前方のニードルベッドをそれぞれ示し、図３は図２の編成コースで形成された踵部分９の拡大図である。
踵部分９を形成する部分になると、図２のＡ部分に示すように、足の裏側を編成する前方のニードルベッドの編針に加えて、足の甲側を編成している後方のニードルベッドの編針の両端部分に入り込んだ部分を含んだ編成領域から、後方のニードルベッドの両端部分で編まれる部分を引き返し編みにより除々に減少させる。
【００１１】
この引き返し編みにより除々に減少させた端部のループは図外のループ押さえにより後述するＣ部分の編成までそれぞれ編針に掛止される。
そして、編成領域が前方のニードルベッドの編針になると、図２のＢ部分に示すように、踵部分９の膨らみ部分が編成される。
この踵部分９の膨らみ部分は、その編み幅をＢ１・Ｂ２で示すように左右対称に一旦減少させた後、Ｂ３で示すようにＢ２の編み幅に対応する分の編み幅を回復させる。すると、Ｂ２部分とＢ３部分とはその端部のループ同士が連結された状態になる。
【００１２】
次に、Ｂ４に示すように再び編み幅を減少させた後、編み幅をＢ５・Ｂ６で示すように編幅を復帰させると、Ｂ４部分とＢ５部分の端部のループ同士、Ｂ６部分とＢ１部分とはその端部のループ同士が連結され、ここに踵部分９の膨らみ部分が形成される。こうして形成された膨らみ部分のファッションラインは先端部分が「Ｙ」型になり、大きな膨らみになる。
然る後、Ｃ部分では引き返し編みにより前記Ａ部分で、端部のループが図外のループ押さえにより編針に掛止されていた後方のニードルベッドの編針に回り込むようにその編み幅を広げると、Ａ部分の端部のループとＣ部分の端部のループとが連結されて、踵部分９が形成される。
踵部分９が形成されると、編糸が再び前後のニードルベッドに周回状に給糸されその上端に短寸の足挿入口部分が形成され、指袋を有する踵付き靴下１の編成が終了するのである。
【００１３】
尚、上記実施の形態では、踵部分９の膨らみ部分のファッションラインの先端部分が「Ｙ」型にしてあるが本発明はこうしたものに限られず、従来のような一直線状にすることができるのは勿論である。
【００１４】
【発明の効果】
本発明は以上に説明したように、本発明にかかる指袋を有する踵付き靴下の編成方法は、編針を進退摺動可能に収納したニードルベッドを少なくとも前後一対に設けた横編機のニードルベッドに編糸を周回状に給糸して一方のニードルベッドで靴下の上面部分を、他方のニードルベッドで靴下の下面部分をそれぞれ編成する指袋を有する踵付き靴下の編成方法ニードルプレートおいて、踵部分を編成するに場合、靴下の上面部分を編成するニードルベッドにおける編成領域の両側の編針から踵部分の編成を開始させるようにしてあるので、踵部分が大きく回りこみ、編み上がった時点で、足の甲部分と足挿入口部分との角度が略９０度になる。
したがって、かかる靴下を着用した場合、足への馴染みが良く、従来のように踵部分が突っ張った状態になることもなく、足挿入口部分が略水平に保て、見栄えが良くなるだけでなく、その履き心地も大幅に向上させることができるという利点がある。
【００１５】
特に、スニーカータイプの靴下のように、踵部分から脚の挿入口までの長さが短いものでは、歩行中にも踵部分のずれがなく、従来のように踵部分がずれて指袋が脱げてしまうという問題も解消することができる利点もある。
【００１６】
また、踵部分を形成する側面のファッションラインが踵部分先端部分で二股状に分岐させて踵部分先端部分に丸みを形成するようにしたものでは、足への馴染みが良くし、履き心地を大幅に向上させることができるという利点をより一層向上できるとともに、スニーカータイプの靴下のように、踵部分から脚の挿入口までの長さが短いものを装着したときの歩行中にも踵部分のずれや、踵部分がずれて指袋が脱げてしまうという問題の解消を確実に行なえる利点もある。
【図面の簡単な説明】
【図１】は本発明の実施例にかかる指袋を有する踵付き靴下の斜視図である。
【図２】は本発明の実施例にかかる指袋を有する踵付き靴下の編成コースである。
【図３】は本発明の実施例にかかる指袋を有する踵付き靴下の編成コースで形成された踵部分の拡大図である。
【符号の説明】
１・・・靴下（指袋を有する踵付き靴下）
９・・・踵部分
１１・・・１の上面部分
１２・・・２の下面部分
【図１】
0003815776.tif 000002
【図２】
0003815776.tif 000003
【図３】
0003815776.tif 000004